(57)【要約】  無線通信システムにおけるユーザ装置において、他のユーザ装置において干渉の測定に使用される参照信号の送信のための設定情報を保持する設定情報管理部と、前記設定情報に基づいて、前記参照信号を送信する信号送信部と、を備え、前記信号送信部は、前記参照信号の送信と、他の信号の送信又は受信とが競合する場合において、所定の優先度に基づいて、当該参照信号を送信するか否かを決定する。
2019030932.tif 000002
【特許請求の範囲】
【請求項１】
無線通信システムにおけるユーザ装置であって、
他のユーザ装置において干渉の測定に使用される参照信号の送信のための設定情報を保持する設定情報管理部と、
前記設定情報に基づいて、前記参照信号を送信する信号送信部と、を備え、
前記信号送信部は、前記参照信号の送信と、他の信号の送信又は受信とが競合する場合において、所定の優先度に基づいて、当該参照信号を送信するか否かを決定する
ことを特徴とするユーザ装置。
【請求項２】
前記信号送信部は、基地局から設定されたギャップにおいて、前記参照信号の送信と、前記他の信号の送信又は受信とが競合する場合でも、当該参照信号を送信する
ことを特徴とする請求項１に記載のユーザ装置。
【請求項３】
無線通信システムにおけるユーザ装置であって、
干渉の測定に使用される参照信号の受信のための設定情報を保持する設定情報管理部と、
前記設定情報に基づいて、前記参照信号を受信する信号受信部と、を備え、
前記信号受信部は、前記参照信号の受信と、他の信号の送信又は受信とが競合する場合において、所定の優先度に基づいて、前記参照信号を受信するか否かを決定する
ことを特徴とするユーザ装置。
【請求項４】
前記信号受信部は、基地局から設定されたギャップにおいて、前記参照信号の受信と、前記他の信号の送信又は受信とが競合する場合でも、当該参照信号を受信する
ことを特徴とする請求項３に記載のユーザ装置。
【請求項５】
前記信号受信部は、前記参照信号の受信電力を測定し、所定の閾値よりも大きな受信電力に対してフィルタリング処理を実行する
ことを特徴とする請求項３又は４に記載のユーザ装置。
【請求項６】
無線通信システムにおけるユーザ装置が実行する参照信号送信方法であって、
前記ユーザ装置は、他のユーザ装置において干渉の測定に使用される参照信号の送信のための設定情報を設定情報管理部に保持しており、
前記参照信号の送信と、他の信号の送信又は受信とが競合する場合において、所定の優先度に基づいて、当該参照信号を送信するか否かを決定し、当該参照信号を送信すると決定した場合に、前記設定情報に基づいて、当該参照信号を送信する信号送信ステップ
を備えることを特徴とする参照信号送信方法。
【発明の詳細な説明】
【技術分野】
【０００１】
本発明は、無線通信システムにおけるユーザ装置に関連するものである。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、ＬＴＥ（Ｌｏｎｇ  Ｔｅｒｍ  Ｅｖｏｌｕｔｉｏｎ）及びＬＴＥ−Ａｄｖａｎｃｅｄの次世代の通信規格（ＮＲ（５Ｇとも呼ばれる））が議論されている。ＮＲシステムでは、発生するダウンリンク（以下、ＤＬ）トラフィック及びアップリンク（以下、ＵＬ）トラフィックに応じて、ＤＬ通信及びＵＬ通信に使用されるリソースをフレキシブルに制御するフレキシブルＤｕｐｌｅｘが検討されている。フレキシブルＤｕｐｌｅｘとして、例えば、時間領域でＵＬリソース及びＤＬリソースを動的に切り替えるＴＤＤ（Ｔｉｍｅ  Ｄｉｖｉｓｉｏｎ  Ｄｕｐｌｅｘ）方式（以降、ダイナミックＴＤＤと呼ぶ）がある。【０００３】
典型的には、小さなセルでは大きなセルと比較して、ＤＬトラフィックとＵＬトラフィックとの偏りが大きくなることが想定される。このため、各セルにおいて独立してダイナミックＴＤＤを利用してＤＬ通信とＵＬ通信とを制御することによって、トラフィックをより効率的に収容することが可能になる。【０００４】
ダイナミックＴＤＤでは、サブフレーム、スロット、ミニスロット等のある時間間隔でＤＬ及びＵＬの送信方向が動的に変更される。すなわち、図１Ａに示されるように、ＬＴＥにおいて適用されているスタティックＴＤＤでは、セル間で共通する予め設定されたＤＬ／ＵＬ構成（ｃｏｎｆｉｇｕｒａｔｉｏｎ）が利用される。他方、ダイナミックＴＤＤでは、図１Ｂに示されるように、各セルで個別のＤＬ／ＵＬ構成が利用される。ダイナミックＴＤＤでは、ＤＬ／ＵＬ構成は、セミスタティックあるいはフレキシブルに変更される。【０００５】
上記のように、ＤＬ／ＵＬ構成をセル毎に個別に適用する方式を採用した場合、例えば、あるセル（ｖｉｃｔｉｍ  ｃｅｌｌ）におけるＤＬ通信に対し、他のセル（ａｇｇｒｅｓｓｏｒ  ｃｅｌｌ）におけるＵＬ通信が干渉となり、ｖｉｃｔｉｍ  ｃｅｌｌにおけるユーザ装置が基地局からの信号を適切に受信できない場合が発生し得る。
【先行技術文献】
【非特許文献】
【０００６】
【非特許文献１】３ＧＰＰ  ＴＳ  ３６．３３１  Ｖ１４．３．０  （２０１７−０６）
【発明の概要】
【発明が解決しようとする課題】
【０００７】
上記のような問題を解消するために、基地局間でＤＬ／ＵＬ構成を送受信することで、各基地局が、他セルからの影響を少なくする／他セルへの影響を少なくするように、自セルのＤＬ／ＵＬ構成を決定することが考えられる。これを実現するためには、例えば、あるセルのユーザ装置が参照信号を送信し、他セルのユーザ装置が当該参照信号の受信電力（例：ＲＳＲＰ）を測定し、それを基地局に報告することが考えられる。この測定はＵＥ−ｔｏ−ＵＥ  ｍｅａｓｕｒｅｍｅｎｔ（ユーザ装置間測定）と呼ばれる
しかし、ユーザ装置は、上記測定のための参照信号の送受信以外に、ＵＬ信号送信、ＤＬ信号受信、Ｄ２Ｄ（サイドリンク）信号送受信等の他の信号の送受信も行うため、参照信号の送受信と他の信号の送受信とが同時に発生し、ユーザ装置の能力によっては、いずれかの信号の送受信ができなくなる可能性がある。既存のＬＴＥ等の従来技術には、ＵＥ−ｔｏ−ＵＥ  ｍｅａｓｕｒｅｍｅｎｔにおいて、このような状況に対処するための具体的な技術は存在しなかった。【０００８】
本発明は上記の点に鑑みてなされたものであり、ユーザ装置間測定において、ユーザ装置が、干渉の測定のための参照信号を適切に送信又は受信することを可能とする技術を提供することを目的とする。
【課題を解決するための手段】
【０００９】
開示の技術によれば、無線通信システムにおけるユーザ装置であって、
他のユーザ装置において干渉の測定に使用される参照信号の送信のための設定情報を保持する設定情報管理部と、
前記設定情報に基づいて、前記参照信号を送信する信号送信部と、を備え、
前記信号送信部は、前記参照信号の送信と、他の信号の送信又は受信とが競合する場合において、所定の優先度に基づいて、当該参照信号を送信するか否かを決定する
ことを特徴とするユーザ装置が提供される。
【発明の効果】
【００１０】
開示の技術によれば、ユーザ装置間測定において、ユーザ装置が、干渉の測定のための参照信号を適切に送信又は受信することを可能とする技術が提供される。
【図面の簡単な説明】
【００１１】
【図１Ａ】スタティックＴＤＤを説明するための図である。
【図１Ｂ】ダイナミックＴＤＤを説明するための図である。
【図２】本発明の実施の形態における無線通信システムを示す図である。
【図３Ａ】ダイナミックＴＤＤにおけるＤＬ／ＵＬパターンの例を示す図である。
【図３Ｂ】ダイナミックＴＤＤにおけるＤＬ／ＵＬパターンの例を示す図である。
【図３Ｃ】ダイナミックＴＤＤにおけるＤＬ／ＵＬパターンの例を示す図である。
【図４】ダイナミックＴＤＤのフレーム構成の例を示す図である。
【図５】対象セルにおけるＤＬの干渉パターンを説明するための図である。
【図６】基本的な動作例を説明するための図である。
【図７】ユーザ装置１０１、及びユーザ装置１０３が送受信し得る信号を示す図である。
【図８】ＸＳＲＳとＳｈｏｒｔ−ＰＵＣＣＨが衝突する場合の例を示す図である。
【図９】ＸＳＲＳの送信の例を説明するための図である。
【図１０】ＸＳＲＳの送信の例を説明するための図である。
【図１１】ＸＳＲＳの送信及び受信の例を説明するための図である。
【図１２】優先順位の適用の例を説明するための図である。
【図１３】測定ギャップの例を説明するための図である。
【図１４】測定ギャップの例を説明するための図である。
【図１５】ＸＳＲＳのＤｒｏｐを説明するための図である。
【図１６】ユーザ装置１００の機能構成の一例を示す図である。
【図１７】基地局２００の機能構成の一例を示す図である。
【図１８】ユーザ装置１００と基地局２００のハードウェア構成の一例を示す図である。
【発明を実施するための形態】
【００１２】
以下、図面を参照して本発明の実施の形態（本実施の形態）を説明する。なお、以下で説明する実施の形態は一例に過ぎず、本発明が適用される実施の形態は、以下の実施の形態に限られるわけではない。
【００１３】
本実施の形態の無線通信システムは、少なくともＬＴＥの通信方式をサポートしていることを想定している。よって、無線通信システムが動作するにあたっては、適宜、既存のＬＴＥで規定された既存技術を使用できる。ただし、当該既存技術はＬＴＥに限られない。また、本明細書で使用する「ＬＴＥ」は、特に断らない限り、ＬＴＥ−Ａｄｖａｎｃｅｄ、及び、ＬＴＥ−Ａｄｖａｎｃｅｄ以降の方式を含む広い意味を有するものとする。また、本発明は、ＬＴＥ以外の通信方式にも適用可能である。
【００１４】
以下で説明する実施の形態では、既存のＬＴＥで使用されているＳＲＳ、ＤＭ−ＲＳ、ＰＵＣＣＨ、ＲＲＣ、ＤＣＩ等の用語を使用しているが、これは記載の便宜上のためであり、これらと同様のチャネル、信号、機能等が他の名称で呼ばれてもよい。
【００１５】
（無線通信システムの構成）
図２は、本実施の形態における無線通信システム１０の構成図である。図２に示すように、本実施の形態における無線通信システム１０は、ユーザ装置１０１、１０２、１０３（以降、ユーザ装置１００として総称されうる）及び基地局２０１、２０２、２０３（以降、基地局２００として総称されうる）を含む。以下の実施の形態では、無線通信システム１０は、前述したように、ＵＬ及びＤＬを各セル個別に制御可能なダイナミックＴＤＤをサポートする。
【００１６】
ユーザ装置１００は、スマートフォン、携帯電話、タブレット、ウェアラブル端末、Ｍ２Ｍ（Ｍａｃｈｉｎｅ−ｔｏ−Ｍａｃｈｉｎｅ）用通信モジュールなどの無線通信機能を備えた通信装置であり、基地局２００に無線接続し、無線通信システム１０により提供される各種通信サービスを利用する。ユーザ装置を例えば「ＵＥ」と呼んでもよい。
【００１７】
基地局２００は、１つ以上のセルを提供し、ユーザ装置１００と無線通信する通信装置である。図示された例では、例示として３つの基地局２０１、２０２、２０３を示すが、一般には、無線通信システム１０のサービスエリアをカバーするよう多数の基地局２００が配置される。基地局を、例えば「ｇＮＢ」と呼んでもよい。
【００１８】
また、本実施の形態の無線通信システムで使用される信号波形は、例えば、ＵＬ、ＤＬともに、既存のＬＴＥのＤＬと同様のＯＦＤＭＡであってもよいし、ＵＬ／ＤＬが、既存のＬＴＥのＵＬ／ＤＬと同様のＳＣ−ＦＤＭＡ／ＯＦＤＭＡであってもよいし、これら以外の信号波形であってもよい。なお、本実施の形態のユーザ装置１００は、後述するＸＳＲＳをＵＬ信号として送信するが、以降の説明では、特に断らない限り、「ＵＬ信号」にはＸＳＲＳを含まないものとする。
【００１９】
また、基地局間は通信回線（バックホールと呼ぶ）で接続されており、基地局間で例えばＸ２インタフェースで情報の送受信が可能である。また、本実施の形態では、基地局間は同期している。ただし、基地局間が非同期であってもよい。非同期の場合は、例えば、基地局間で時間ずれ情報が交換され、実質的に同期動作が可能である。
【００２０】
（ダイナミックＴＤＤの構成について）
前述したように、本実施の形態では、ダイナミックＴＤＤを使用することから、ダイナミックＴＤＤの構成例について説明する。
【００２１】
本実施の形態に係るダイナミックＴＤＤでは、例えば、図３Ａ〜３Ｃに示されるように、いくつかのＵＬ／ＤＬパターンによってＵＬ通信及びＤＬ通信が行われる。ただし、これらに限定されるものではない。
【００２２】
図３Ａのパターン１では、全ての時間間隔でＵＬ通信／ＤＬ通信が可能である。なお、ここでの「時間間隔」は、図３Ａ（Ｂ、Ｃも同様）における１つの四角の枠の時間幅（「Ｅ．ｇ．，  ｓｕｂｆｒａｍｅ，  ｓｌｏｔ  ｏｒ  Ｍｉｎｉ−ｓｌｏｔ」と記載されている幅）である。この「時間間隔」をＴＴＩと称してもよい。
【００２３】
図３Ｂに示すパターン２では、一部の時間間隔ではＵＬ／ＤＬ送信方向が固定的に設定され、当該時間間隔では設定された通信方向しか許容されない。他方、その他の時間間隔では、ＵＬ／ＤＬを切り替えて実施することが可能である。図３Ｃに示すパターン３では、一部の時間間隔と、時間間隔内のある区間（図示された例では、時間間隔内の両エンドの区間がＤＬ及びＵＬに固定的に設定されている）ではＵＬ／ＤＬが固定的に設定され、当該時間間隔では設定された送信方向しか許容されない。他方、その他の時間間隔では、ＵＬ通信／ＤＬ通信が可能である。
【００２４】
図４は、図３Ｃに示したパターン３に係るフレーム構成をより詳細に示す図である。以下では、説明の便宜上、上述した「時間間隔」をスロットと呼ぶ。ただし、以下で使用するスロットを、ＴＴＩ（送信時間間隔）、単位時間長フレーム、サブフレーム、ミニスロットに置き換えても良い。スロットの時間長は、時間の経過によって変化しない固定的な時間長であってもよいし、パケットサイズ等により変化する時間長であってもよい。
【００２５】
図４に示すように、本例において、１つのスロットは、下りの制御チャネル用の先頭の時間区間（ＤＬ制御チャネル区間）、データ通信用の時間区間（データ区間）、上りの制御チャネル用の末尾の時間区間（ＵＬ制御チャネル区間）を有することができる。必要に応じて下りの制御チャネル用の先頭の時間区間（ＤＬ制御チャネル区間）、及びデータ通信用の時間区間（データ区間）の構成を取るなど、必要なチャネルのみで構成されたスロット構成での送信が可能であってもよい。また、ＤＬとＵＬとの境には、切り替えのためのガード区間（ＧＰ：ｇｕａｒｄ  ｐｅｒｉｏｄ）が設けられる。
【００２６】
一例として、ＵＬ  ｃｏｎｔｒｏｌ  ＣＨは、短い時間（例：１シンボル）で送信されてもよい。このような短い時間のＵＬ  ｃｏｎｔｒｏｌ  ＣＨはＳｈｏｒｔ  ＰＵＣＣＨと呼ばれる。
【００２７】
（干渉パターンについて）
本実施の形態において想定しているユーザ装置１００に対する干渉パターンについて図５を参照して説明する。図５において、基地局２０１のセルがｖｉｃｔｉｍ  ｃｅｌｌであり、基地局２０２のセル及び基地局２０３のセルはいずれもａｇｇｒｅｓｓｏｒ  ｃｅｌｌとする。図５に示すとおり、ｖｉｃｔｉｍ  ｃｅｌｌのユーザ装置１０１に対し、ａｇｇｒｅｓｓｏｒ  ｃｅｌｌの基地局からのＤＬ信号と、ａｇｇｒｅｓｓｏｒ  ｃｅｌｌのユーザ装置（図５ではユーザ装置１０３）からのＵＬ信号が干渉となる。特に、ａｇｇｒｅｓｓｏｒ  ｃｅｌｌのユーザ装置（図５ではユーザ装置１０３）からのＵＬ信号による干渉は、ＤＬとＵＬのクロスリンク干渉の例であり、例えば、ａｇｇｒｅｓｓｏｒ  ｃｅｌｌのユーザ装置１０３からのＵＬデータチャネルがｖｉｃｔｉｍ  ｃｅｌｌのＤＬ制御チャネルに対する干渉になる等、その影響は大きい。
【００２８】
（基本的な動作例）
本実施の形態では、例えば図５に示す構成において、ａｇｇｒｅｓｓｏｒ  ｃｅｌｌのユーザ装置１０３が参照信号を送信し、ｖｉｃｔｉｍ  ｃｅｌｌのユーザ装置１０１が当該参照信号を受信し、当該参照信号の受信電力を測定する。ユーザ装置１０１は、測定結果を基地局２０１に送信する。なお、実際には、ａｇｇｒｅｓｓｏｒ  ｃｅｌｌの複数のユーザ装置が参照信号を送信し、ｖｉｃｔｉｍ  ｃｅｌｌの複数のユーザ装置が参照信号の測定及び測定結果報告を行うが、ここでは、例としてユーザ装置１０３とユーザ装置１０１を示している。
【００２９】
基地局２０１は、ユーザ装置１０１から受信する測定結果に基づいて、例えば、ａｇｇｒｅｓｓｏｒ  ｃｅｌｌからの干渉が大きいことを把握すると、干渉を低減するために、自セルでの通信方向を調整する。あるいは、ａｇｇｒｅｓｓｏｒ  ｃｅｌｌの基地局２０３に測定結果を送信し、ａｇｇｒｅｓｓｏｒ  ｃｅｌｌの基地局２０３に送信方向を調整させる。
【００３０】
上記の参照信号は、ＳＲＳ（Ｓｏｕｎｄｉｎｇ  Ｒｅｆｅｒｅｎｃｅ  Ｓｉｇｎａｌ）でもよいし、ＤＭ−ＲＳ（Ｄｅｍｏｄｕｌａｔｉｏｎ  Ｒｅｆｅｒｅｎｃｅ  Ｓｉｇｎａｌ）でもよいし、ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）でもよいし、ＲＡＣＨ（Ｒａｎｄｏｍ  Ａｃｃｅｓｓ  Ｃｈａｎｎｅｌ）  Ｐｒｅａｍｂｌｅでもよいし、その他の信号であってもよい。以降、ＵＥ−ｔｏ−ＵＥ  ｍｅａｓｕｒｅｍｅｎｔに使用される参照信号をＸＳＲＳと記載する。ただし、後述するように、通常のＳＲＳをＸＳＲＳとして使用する場合があり、その場合には、ＵＥ−ｔｏ−ＵＥ  ｍｅａｓｕｒｅｍｅｎｔに使用されるＳＲＳがＳＲＳと記載される場合がある。
【００３１】
また、ＸＳＲＳの測定量である受信電力は、ＬＴＥで規定されているＲＳＲＰであってもよいし、ＬＴＥで規定されているＲＳＳＩであってもよいし、その他の量であってもよい。また、ＸＳＲＳの測定量が受信品質（ＲＳＲＱ）であってもよい。以下、ＸＳＲＳの測定量はＲＳＲＰであるとする。
【００３２】
なお、各セルに存在する複数のユーザ装置の各々が、ＸＳＲＳの送信、及び、他セルから受信するＸＳＲＳの測定を行う。
【００３３】
図６は、基地局２００と、当該基地局２００のセル（サービングセル）に在圏するユーザ装置１００との間の基本的な動作例を説明するための図である。
【００３４】
Ｓ（ステップ）１０１において、基地局２００はユーザ装置１００に対し、ＸＳＲＳ送信設定情報、及びＸＳＲＳ受信設定情報を送信する。この設定情報の送信は、例えば、ブロードキャスト情報（システム情報と称してもよい）、ＲＲＣメッセージ、ＭＡＣ信号（例：ＭＡＣ  ＣＥ）、ＤＣＩ（ＰＤＣＣＨ／ＥＰＤＣＣＨ）のうちのいずれかで行われる。
【００３５】
ユーザ装置１００において、ＸＳＲＳ送信設定情報とＸＳＲＳ受信設定情報のうちのいずれかが予め設定されている場合等においては、Ｓ１０１において両方を送信することは必須ではなく、いずれか１つを送信することとしてもよい。
【００３６】
ＸＳＲＳ送信設定情報は、例えば、ＸＳＲＳを送信するリソース（時間リソース及び／又は周波数リソース）を指定する情報を含む。また、ＸＳＲＳ送信設定情報は、後述する優先度を指定する情報、及び／又は、設定する参照信号（例：ＳＲＳ）が、ＸＳＲＳ用（つまり、ＵＥ−ｔｏ−ＵＥ  ｍｅａｓｕｒｅｍｅｎｔ用）であることを示す情報を含んでもよい。ＸＳＲＳ送信設定情報は、ＸＳＲＳ送信のためのギャップの設定情報（ギャップの到来周期、ギャップ時間長、ギャップ開始時間位置等）を含んでもよい。なお、通常のＳＲＳがＸＳＲＳとして使用される場合、ＸＳＲＳ送信設定情報は、通常のＳＲＳの設定情報である。
【００３７】
ＸＳＲＳ受信設定情報は、例えば、ＸＳＲＳを受信するリソース（時間リソース及び／又は周波数リソース）を指定する情報を含む。また、ＸＳＲＳ受信設定情報は、後述する優先度を指定する情報、及び／又は、設定する参照信号（例：ＳＲＳ）が、ＸＳＲＳ用（つまり、ＵＥ−ｔｏ−ＵＥ  ｍｅａｓｕｒｅｍｅｎｔ用）であることを示す情報を含んでもよい。ＸＳＲＳ受信設定情報は、ＸＳＲＳ受信のためのギャップの設定情報（ギャップの到来周期、ギャップ時間長、ギャップ開始時間位置等）を含んでもよい。
【００３８】
上記のＸＳＲＳを送信するリソースは、例えば、他セルにおいてＸＳＲＳを受信するリソースとして設定されるリソースであり、上記のＸＳＲＳを受信するリソースは、例えば、他セルにおいてＸＳＲＳを送信するリソースとして設定されるリソースである。
【００３９】
ステップＳ１０２において、ユーザ装置１００は、ＸＳＲＳ送信設定情報に従ってＸＳＲＳ送信動作を行う。ステップＳ１０３において、ユーザ装置１００は、ＸＳＲＳ受信設定情報に従ってＸＳＲＳ受信動作を行う。
【００４０】
（送信／受信する信号について）
図７は、基地局２００のセルをサービングセルとするユーザ装置１００が送受信し得る信号を示す図である。図７に示すように、ユーザ装置１００は、基地局２００からＤＬ信号を受信し、基地局２００にＵＬ信号を送信する。また、ユーザ装置１００は、ＸＳＲＳを送受信し、Ｄ２Ｄ信号を送受信する。
【００４１】
ＸＳＲＳの送信を行うユーザ装置１００には、例えば、所定のタイミングで周期的にＸＳＲＳの送信を行うようにリソースが設定される。しかし、この設定は、セル単位で行われることが想定されるため、あるユーザ装置において、ＸＳＲＳの送信と他の信号の送信が競合する場合がある。
【００４２】
図８は、その一例として、図５に示したａｇｇｒｅｓｓｏｒ  ｃｅｌｌのユーザ装置１０３においてＸＳＲＳの送信と、Ｓｈｏｒｔ  ＰＵＣＣＨの送信とがあるシンボルで競合する場合を示している。競合とは、ある時点（例：シンボル、スロット）においていずれか１つの信号しか送信できないことを意味する。なお、図８は、両信号のリソースが重なる場合を示しているが、重ならない場合でも、例えばＵＥ能力の制限等により、競合は発生し得る。
【００４３】
図８の例では、ｖｉｃｔｉｍ  ｃｅｌｌのユーザ装置１０１において該当シンボルでＸＳＲＳを受信する設定がされている。そのため、例えば、ユーザ装置１０３がＳｈｏｒｔ  ＰＵＣＣＨの送信を行って、ＸＳＲＳをドロップすると、ユーザ装置１０１において測定できるリソースで測定できなくなり、測定精度が劣化する。他方、ユーザ装置１０３がＳｈｏｒｔ  ＰＵＣＣＨの送信をドロップして、ＸＳＲＳの送信を行うと、ユーザ装置１０１において測定はできるものの、ユーザ装置１０３におけるＵＬ通信及びＤＬ通信が劣化する可能性がある。
【００４４】
従って、上記のような競合に対し、システム全体のパフォーマンス等を考慮して、適切に優先度を設定する必要がある。
【００４５】
なお、上記の例は、ＸＳＲＳ送信と他の信号送信との競合の例である。これ以外に、Ｈａｌｆ  Ｄｕｐｌｅｘ制限があるユーザ装置では、ＸＳＲＳ送信と、信号の受信とが競合する場合がある。また、ＸＳＲＳ受信と他の信号受信との競合、及び、ＸＳＲＳ受信と信号送信との競合もある。
【００４６】
以下、適切に優先順位を設定することを可能とする方法の例として、実施例１、実施例２を説明する。
【００４７】
（実施例１）
実施例１では、ＸＳＲＳは、通常のＳＲＳをベースとしている。そして、実施例１では、ＳＲＳについての２種類の設定（ｃｏｎｆｉｇｕｒａｔｉｏｎ）を設ける。
【００４８】
ＸＳＲＳとして使用する（つまり、ＵＥ−ｔｏ−ＵＥ  ｍｅａｓｕｒｅｍｅｎｔに使用する）ＳＲＳの設定をＸＳＲＳ用設定と呼び、通常のＳＲＳ（つまり、ＵＬ  ｓｏｕｎｄｉｎｇ用のＳＲＳ）の設定をＳＲＳ用設定と呼ぶ。
【００４９】
なお、基地局２００からユーザ装置１００に送信される設定情報が通常のＳＲＳ用の設定情報であるのか、それともＸＳＲＳ用の設定情報であるのかの識別に関しては、例えば、通常のＳＲＳ用の設定情報には、ＸＳＲＳ用の設定情報であることを示す識別情報を含めず、ＸＳＲＳ用の設定情報には、ＸＳＲＳ用の設定情報であることを示す識別情報（タイプ）を含めることにより実現する。なお、この識別情報は、ＸＳＲＳ送信設定情報に含めることを想定しているが、ＸＳＲＳ受信設情報にも含めることとしてもよい。
【００５０】
また、ＸＳＲＳ用の設定情報であるのか、通常のＳＲＳ用の設定情報であるのかの識別について、識別情報を含めることなく（あるいは、識別情報に加えて）、優先度を含め、ＸＳＲＳ用の設定情報と通常のＳＲＳ用の設定情報とで優先度を異なるものとしてもよい。例えば、通常のＳＲＳ用の設定情報には、優先度としてＵＬ信号（例：Ｓｈｒｏｔ  ＰＵＣＣＨ）よりもＳＲＳの優先度が低いことを示す値が含められ、ＸＳＲＳ用の設定情報には、優先度としてＵＬ信号（例：Ｓｈｒｏｔ  ＰＵＣＣＨ）よりもＸＳＲＳの優先度が高いことを示す値が含められる。なお、この優先度は、ＸＳＲＳ送信設定情報とＸＳＲＳ受信設情報のいずれか１つ、又は両方に含められる。
【００５１】
上記の例は、ＸＳＲＳ送信用（ＵＥ−ｔｏ−ＵＥ  ｍｅａｓｕｒｅｍｅｎｔのみに使用されることを想定）のＳＲＳの優先度が、ＵＥ−ｔｏ−ＵＥ  ｍｅａｓｕｒｅｍｅｎｔとＵＬ  ｓｏｕｎｄｉｎｇの両方に使用されることが想定されるＳＲＳ（通常のＳＲＳ）の優先度よりも低く設定される場合の例である。
【００５２】
上記とは逆に、ＸＳＲＳ送信用（ＵＥ−ｔｏ−ＵＥ  ｍｅａｓｕｒｅｍｅｎｔのみに使用されることを想定）のＳＲＳの優先度が、ＵＥ−ｔｏ−ＵＥ  ｍｅａｓｕｒｅｍｅｎｔとＵＬ  ｓｏｕｎｄｉｎｇの両方に使用されることが想定されるＳＲＳ（通常のＳＲＳ）の優先度よりも高く設定されることとしてもよい。
【００５３】
なお、優先度を設定情報に含めない場合、つまり、ＸＳＲＳ用のＳＲＳ設定であることを示す識別情報を設定情報に含める場合については、例えば、その識別情報が含まれるＳＲＳ設定に関して、上述した優先度が適用される。
【００５４】
また、優先度の高いほう（あるいは優先度の低いほう）のＳＲＳ送信の時間リソースが、時間パターン（例：時間方向の繰り返しを有するビットマップ）で、基地局２００からユーザ装置１００に設定されてもよい。
【００５５】
実施例１において、いくつかの送信パラメータは、通常のＳＲＳとＸＳＲＳとで共通であってもよい。この場合、例えば、ＸＳＲＳの送信パラメータとして、通常のＳＲＳの送信パラメータとは異なる部分のみが基地局２００からユーザ装置１００に設定される。これにより、設定情報の量を削減でき、オーバーヘッドを削減できる。
【００５６】
また、例えば、ＸＳＲＳ送信用の設定を簡易な設定としてオーバーヘッドを削減することもできる。例えば、ＸＳＲＳ送信についてのプリコーディング、アンテナポート等について事前に定められた値を使用し、サイクリックシフトの量として、通常のＳＲＳで使用する量よりも小さな値を使用する。なお、ＸＳＲＳは、セル間測定に使用されるため、パス伝搬遅延は通常のＳＲＳよりも大きくなると考えられる。よって、サイクリックシフト量を小さくすることが好ましい。また、ＸＳＲＳに関して、通常のＳＲＳよりも多くのユーザを多重できるように、Ｃｏｍｂの間隔を例えば最大で４としてもよい。
【００５７】
＜優先度の例＞
ＸＳＲＳ送信、ＸＳＲＳ受信、ＤＬ受信、ＵＬ送信、Ｄ２Ｄ受信間の優先度の設定例を以下に説明する。なお、以下で説明する優先度は、ユーザ装置の能力の制限により競合が発生する場合に適用される。ただし、ユーザ装置の能力の制限の有無に関わらずに、下記の優先度を適用してもよい。また、以下で説明する優先度は、ＸＳＲＳが、ＳＲＳベースでない場合にも適用できる。また、以下で説明する優先度は、基地局２００からユーザ装置１００に設定されることとしてもよいし、基地局２００からユーザ装置１００への設定がされることなく、ユーザ装置１００において予め定められたものとしてもよい。
【００５８】
例えば、ＸＳＲＳ受信には、Ｄ２Ｄ受信よりも高い優先度が設定される。これにより、ユーザ装置１００は、Ｄ２Ｄ受信よりも優先してＸＳＲＳ受信、測定、報告を行うことができるので、ＤＬ通信性能を保護することができる。
【００５９】
また、優先度の大きさを不等号で表わす場合において、例えば、「ＤＬ受信、ＵＬ送信＞ＸＳＲＳ送信＞ＸＳＲＳ受信」で示される優先度が設定されてもよい。このように、ＤＬ受信とＵＬ送信を、ＸＳＲＳ送信及びＸＳＲＳ受信よりも優先させることで、ＤＬとＵＬの性能劣化を回避できる。また、ＸＳＲＳ送信の優先度をＸＳＲＳ受信の優先度よりも高くすることで、ＸＳＲＳ受信リソース（測定リソース）において、ＸＳＲＳ受信の可能性がないのにリソースを開けておく（送信に利用しない）ことによる無駄を回避できる。
【００６０】
なお、競合が発生した場合において、ユーザ装置１００が、優先度に基づき「ＸＳＲＳを受信しない」とは、例えば、ユーザ装置１００が、ＸＳＲＳ受信リソースにおいて、復調の動作を行わないこと、及び／又は、測定の動作（例：受信電力の測定の動作）を行わないことである。
【００６１】
また、例えば、「ＸＳＲＳ送信＞ＸＳＲＳ受信＞ＤＬ受信＞ＵＬ送信」で示される優先度が設定されてもよい。この設定により、ＵＥ−ｔｏ−ＵＥ  ｍｅａｓｕｒｅｍｅｎｔの正確性を保つことができる。
【００６２】
また、例えば、「ＤＬ受信＞ＸＳＲＳ送信＞ＵＬ送信＞ＸＳＲＳ受信」で示される優先度が設定されてもよい。この設定により、ＤＬ受信を保護しながらＵＥ−ｔｏ−ＵＥ  ｍｅａｓｕｒｅｍｅｎｔの正確性を高く保つことができる。
【００６３】
＜具体例＞
図９を参照して具体例を説明する。図９に示す例では、ａｇｇｒｅｓｓｏｒ  ｃｅｌｌのユーザ装置１０３に対し、Ａで示すシンボルにＸＳＲＳ送信が設定される。また、Ｂに示すシンボルは、通常のＳＲＳ送信のためのシンボルである。また、ｖｉｃｔｉｍ  ｃｅｌｌのユーザ装置１０１に対し、Ａで示すシンボルが、ＸＳＲＳ受信用のリソースとして設定されている。また、ＸＳＲＳ送信の優先度がＰＵＣＣＨ送信の優先度よりも高く設定され、ＳＲＳ送信の優先度がＰＵＣＣＨ送信の優先度よりも低く設定されている。
【００６４】
図９に示す例では、ＡのシンボルでＸＳＲＳ送信とＰＵＣＣＨ送信とが競合し、ＸＳＲＳ送信が優先され、ＰＵＣＣＨ送信はＤｒｏｐされる。これにより、測定の正確性を保つことができる。一方、Ｂのシンボルにおいて、通常のＳＲＳ送信とＰＵＣＣＨ送信が競合する場合、ＰＵＣＣＨ送信が優先され、ＳＲＳ送信はＤｒｏｐされる。これにより、ＵＬ制御情報の送信を行うことができる。
【００６５】
ＸＳＲＳ用設定と通常のＳＲＳ用設定の２種類の設定を用いる実施例１において、ユーザ装置１０３に対し、ＸＳＲＳ送信が設定されるリソースには、基地局２０３がＵＬ送信をスケジュールしないこととしてもよい。これにより、ＸＳＲＳ送信を行うユーザ装置１０３は、ＸＳＲＳ送信時に、ＵＬ送信との競合が発生しないことを前提とする動作を行うことができる。
【００６６】
図１０に具体例を示す。この例では、ユーザ装置１０３に対し、ＸＳＲＳ送信リソースとしてシンボルＡが設定され、そのリソースにはＰＵＣＣＨのリソースは割り当てられない。他方、通常のＳＲＳでは、ＰＵＣＣＨと競合することがあり、図１０の例では、ＰＵＣＣＨが優先される。
【００６７】
（実施例２）
実施例２では、通常のＳＲＳとＸＳＲＳとはトランスペアレントである。言い換えると、送信側のユーザ装置にとって、通常のＳＲＳとＸＳＲＳとには違いがない。つまり、ａｇｇｒｅｓｓｏｒ  ｃｅｌｌのユーザ装置１００は、通常のＳＲＳとＸＳＲＳとを区別することなく通常のＳＲＳを送信する。
【００６８】
一方、ＳＲＳを受信するユーザ装置１００には、例えば、前述したＸＳＲＳ受信設定情報が基地局２００から設定される。当該ＸＳＲＳ受信設定情報には、例えば、優先度が含まれる。
【００６９】
ＳＲＳ（受信観点ではＸＳＲＳ）を受信するユーザ装置１０１において、例えば、前述したＸＳＲＳ受信に関する優先度が適用される。例えば、「ＤＬ受信、ＵＬ送信（ＳＲＳ送信を含む）＞ＳＲＳ受信」で示される優先度が適用される。これによりＳＲＳ受信に起因するＵＬ通信及びＤＬ通信の性能劣化を回避できる。また、ＳＲＳ受信の優先度をＤ２Ｄ受信の優先度よりも高くしてもよい。これにより、ＤＬ性能を保つことができる。
【００７０】
なお、上記の優先度の適用に関し、ユーザ装置１００は、ＸＳＲＳ受信設定情報に含まれる優先度に基づき当該優先度を適用する。また、ユーザ装置１００は、ＸＳＲＳ受信設定情報（優先度を含まない）によりＸＳＲＳ受信が設定されたことでもって、当該優先度を適用することとしてもよい。
【００７１】
図１１を参照して実施例２の具体例を説明する。図１１の例では、ａｇｇｒｅｓｓｏｒ  ｃｅｌｌのユーザ装置１０３において、Ａ、Ｂ、Ｃで示すシンボルでＳＲＳを送信するよう設定がされている。また、ＰＵＣＣＨ送信はＳＲＳ送信よりも優先度が高い。
【００７２】
ユーザ装置１０３におけるＰＵＣＣＨ送信リソースとして基地局２０３からシンボルＢ、Ｃが設定される場合において、基地局２０３はその設定情報を隣接基地局（ここでは、Ｖｉｃｔｉｍ  ｃｅｌｌの基地局２０１）に通知する。設定情報には優先度情報を含めてもよい。
【００７３】
この場合、例えば、図１１のシンボルＢにおける動作として示されるように、基地局２０１は、当該リソースを測定リソースに設定しない（当該リソースは他の目的に使用可能）。また、例えば、測定リソースが事前設定されている場合には、基地局２０１は、ユーザ装置１０１に対し、当該測定リソースにおいて、測定をストップするよう、ＲＲＣシグナリング、あるいはＬ１シグナリング（例：ＤＣＩ）で指示してもよい。
【００７４】
また、図１１のシンボルＣでの動作に示されるように、基地局２０３は、基地局２０１から受信する情報に基づき、ｖｉｃｔｉｍ  ｃｅｌｌのシンボルＣにおいて測定リソースが設定されることを把握した場合には、ＰＵＣＣＨ送信を停止して、ＳＲＳ送信を行うようユーザ装置１０３に指示してもよい。
【００７５】
（実施例３）
次に、実施例３を説明する。実施例３は、実施例１、実施例２、実施例４、実施例５のいずれにも適用できる。実施例１と実施例２で説明したＸＳＲＳ送信の優先度及びＸＳＲＳ受信の優先度はそれぞれ、例えば、シンボル単位で適用することができる。例えば、図１２に示すシンボルｎが、ＸＳＲＳ送信又はＸＳＲＳ受信のためのシンボルであるとすると、当該シンボルｎにおいて優先度が制御される。また、送信と受信の切り替えを考慮して、シンボルｎに加えて、シンボルｎ−１及び／又はシンボルｎ＋１が、シンボルｎに加えて優先度の制御の対象とされてもよい。また、ここでは、ＸＳＲＳ送信又はＸＳＲＳ受信のためのシンボルを１つのシンボルとしたが、ＸＳＲＳ送信又はＸＳＲＳ受信のために複数シンボルが使用されてもよい。つまり、上記「シンボルｎ」が複数シンボルであってもよい。
【００７６】
また、もしも、ＸＳＲＳ送信又はＸＳＲＳ受信の優先度がＵＬ送信の優先度よりも高く設定される場合において、ユーザ装置１００は、特定のＵＬ送信（例：ＰＲＡＣＨ送信）については、当該特定のＵＬ送信を、ＸＳＲＳ送信又はＸＳＲＳ受信よりも優先させてもよい。
【００７７】
また、ユーザ装置１００は、サービングセルの基地局２００から、ＸＳＲＳ受信設定情報を受信して、ＸＳＲＳ受信用設定を行うことに代えて、あるいは、これに加えて、隣接セル（例：ｉｎｔｒａ−ｂａｎｄの隣接セル）の基地局から送信されるシステム情報を受信することでＵＥ−ｔｏ−ＵＥ  ｍｅａｓｕｒｅｍｅｎｔを行うこととしてもよい。例えば、ユーザ装置１００は、隣接セルの基地局から送信されるシステム情報を受信し、当該システム情報から、隣接セルのユーザ装置が送信するＳＲＳ（ＳＲＳではないＸＳＲＳでもよい）の設定情報（送信リソースの情報等）を取得し、当該設定情報に基づき、隣接セルのユーザ装置がＳＲＳ（ＳＲＳではないＸＳＲＳでもよい）を送信するリソースで、当該ＳＲＳ（ＳＲＳではないＸＳＲＳでもよい）を受信し、ＵＥ−ｔｏ−ＵＥ  ｍｅａｓｕｒｅｍｅｎｔを行う。
【００７８】
（実施例４）
次に、実施例４を説明する。実施例４は、実施例１、実施例２、実施例３、実施例５のいずれにも適用できる。
【００７９】
実施例４では、ＸＳＲＳ送信用のギャップ、及び、ＸＳＲＳ受信用のギャップのいずれか又は両方が、基地局２００からユーザ装置１００に設定される。また、ＸＳＲＳ送信用のギャップとＸＳＲＳ受信用のギャップを区別せずに、ＸＳＲＳ送信とＸＳＲＳ受信のいずれにも使用できるギャップが、基地局２００からユーザ装置１００に設定されてもよい。
【００８０】
上記のギャップを総称してＸＳＲＳギャップと呼ぶ。つまり、ＸＳＲＳギャップは、ＸＳＲＳ送信用ギャップ、ＸＳＲＳ受信用ギャップ、又は、ＸＳＲＳの送信と受信の両方可能なギャップである。いずれのギャップにおいても、ＸＳＲＳ以外の信号の送信及び受信が禁止されてもよいし、ＸＳＲＳ以外の信号の送信及び／又は受信が許容されてもよい。
【００８１】
例えば、ユーザ装置１００の能力制限により競合が発生する場合において、ユーザ装置１００は、ＸＳＲＳギャップ内において、ＸＳＲＳ送信及び／又はＸＳＲＳ受信を、ＤＬ受信及び／又はＵＬ送信よりも優先させる。
【００８２】
例えば、ユーザ装置１００は、基地局２００から設定されたＸＳＲＳギャップにおいて、ＸＳＲＳの送信と、他の信号の送信又は受信とが競合する場合でも、ＸＳＲＳを送信する。また、例えば、ユーザ装置１００は、基地局２００から設定されたギャップにおいて、ＸＳＲＳの受信と、他の信号の送信又は受信とが競合する場合でも、ＸＳＲＳを受信する。ここで、ＸＳＲＳを受信するとは、ＸＳＲＳの受信電力を測定することと同義である。
【００８３】
例えば、ＸＳＲＳギャップ以外のＸＳＲＳ送信／受信の設定リソースについて、前述したように、「ＤＬ受信、ＵＬ送信＞ＸＳＲＳ送信＞ＸＳＲＳ受信」の優先度が設定されている場合でも、ＸＳＲＳギャップでは、ＸＳＲＳ送信及び／又はＸＳＲＳ受信が優先される。
【００８４】
ただし、特定のＵＬ送信及び／又は特定のＤＬ受信については、ＸＳＲＳギャップ内であっても、ＸＳＲＳ送信及び／又はＸＳＲＳ受信より優先されてもよい。特定のＵＬ送信の例としては、例えば、ＰＲＡＣＨ送信（ＲＡＣＨプリアンブル送信）がある。また、特定のＤＬ受信の例としては、ＤＬ同期信号の受信、ＤＬブロードキャスト信号の受信、及びＤＬ参照信号の受信がある。
【００８５】
また、図１３に示すような動作が行われてもよい。図１３は、ユーザ装置１００に設定されるＸＳＲＳギャップの例を示す図である。図１３に示す例では、ｉ〜ｉ＋５の５スロット長（５シンボル長であってもよい）のＸＳＲＳギャップがユーザ装置１００に設定される。当該ＸＳＲＳギャップは、ＸＳＲＳ送信とＸＳＲＳ送信の両方が可能なギャップの一例である。
【００８６】
図１３に示す例では、ユーザ装置１００は、Ａで示すシンボル群でＸＳＲＳを受信する。また、スロットｉの開始から、Ａのシンボル群から送受信の切り替えを考慮したシンボル数の時間Ｃだけ開けた時点までの時間Ｄと、Ａのシンボル群から送受信の切り替えを考慮したシンボル数の時間Ｅだけ開けた時点からスロットｉ＋５の終了の時点までの時間ＦにおいてＵＬ送信を行うことが可能である。
【００８７】
ギャップが、ＸＳＲＳの測定と、ＤＬの測定の両方に使用されてもよい。例えば、ＤＬ測定用の既存の測定ギャップの一部がＸＳＲＳの測定を行うＸＳＲＳギャップとして使用されてもよい。
【００８８】
ギャップにおいて、ＸＳＲＳの測定とＤＬの測定の両方が行われる場合の一例を図１４に示す。図１４に示す例において、図示されるギャップを使用するユーザ装置１００は、ギャップ全体の時間の中の３／４の時間でＤＬの測定（ここでは周波数ｆ１、ｆ２、ｆ３の測定）を行い、１／４の時間でＸＳＲＳの測定を行う。
【００８９】
ギャップにおけるＸＳＲＳ測定のための時間長は、例えば、基地局２００から設定されたスケーリングファクタ、あるいは事前設定されたスケーリングファクタによって調整される。例えば、ユーザ装置１００は、ＸＳＲＳの測定とＤＬの測定の両方に使用されるギャップにおいて、下記の式によりＸＳＲＳ測定のための時間長（ＴＳＲＳ）を算出し、ギャップの中の算出した時間長でＸＳＲＳ測定を行う。
【００９０】
ＴＳＲＳ＝ＴＢＡＳＩＣ×（ＲＳＲＳ÷（Ｎｆｒｅｑ，ＤＬ＋１））
上記の式において、ＴＳＲＳは、ＸＳＲＳ測定に使用する時間である。ＴＢＡＳＩＣは、ＤＬ測定とＸＳＲＳ測定のトータルの時間（例：設定されるギャップの時間長）である。ＮＢＡＳＩＣ，ＤＬは、ＤＬにおいて測定対象となる周波数の数（例：異周波数（ｉｎｔｅｒ−ｆｒｅｑｕｅｎｃｙ）、異キャリア（ｉｎｔｅｒ−ｃａｒｒｉｅｒ）、異ＲＡＴ（ｉｎｔｅｒ−ＲＡＴ）等の数）である。ＲＳＲＳは、ＤＬ測定とＸＳＲＳ測定のためのスケーリングファクタである。
【００９１】
例えば、ＲＳＲＳは、０≦ＲＳＲＳ＜１を満たす値である。ただし、ＲＳＲＳは、１であってもよいし、１よりも大きな数であってもよい。また、ＲＳＲＳは、例えば上位レイヤシグナリングで設定されてもよいし、事前に定義されていてもよい。もしもＲＳＲＳが、１である場合、ＸＳＲＳ測定時間は、ＤＬにおいてある１つの異周波数を測定する時間と同じになる。
【００９２】
なお、ＤＬ測定用の測定ギャップに対しては、ＸＳＲＳ測定が行われないこととしてもよい。この場合は、ＸＳＲＳ用に設定されたＸＳＲＳギャップにおいてＸＳＲＳの測定が行われる。これにより、ＤＬ測定がＸＳＲＳ測定から保護される。
【００９３】
測定ギャップをバックホールシグナリングで他の基地局に通知してもよい。これにより、ギャップが設定された時間に合わせたＸＳＲＳの送信が可能となる。
【００９４】
（実施例５）
次に、実施例５を説明する。実施例５は、ＸＳＲＳ送信のドロップについての実施例である。実施例５は、実施例１、実施例２、実施例３、実施例４のいずれにも適用できる。実施例５は、送信側と受信側に分けて説明する。
【００９５】
＜送信側＞
例えばユーザ装置１００の能力制限により、ＸＳＲＳ送信と他の信号の送信とで競合が発生する場合に、ユーザ装置１００は、例えば、これまでに説明した優先度の関係及び／又はギャップ設定に基づき、ＸＳＲＳ送信をドロップすることとしてよい。なお、ユーザ装置１００の能力制限の有無にかかわらすに、競合が発生した場合に、以下で説明するドロップを適用してもよい。
【００９６】
一例として、ユーザ装置１００は、基地局２００から設定されたＸＳＲＳ受信用ギャップにおいてＸＳＲＳ送信をドロップする。また、例えば、ユーザ装置１００は、基地局２００から設定されたＤＬ測定用の測定ギャップにおいて、ＸＳＲＳ送信をドロップする。
【００９７】
また、例えば、ユーザ装置１００は、ＸＳＲＳの送信機会における、基地局２００から設定された時間区間、あるいは事前設定された時間区間でＸＳＲＳをドロップする。当該時間区間は、例えば、１つ又は複数のシンボルである。ユーザ装置１００は、どのシンボルでＸＳＲＳ送信をドロップするかを自律的に決めてもよい。「ＸＳＲＳの送信機会」とは、例えば、ＸＳＲＳ送信設定情報により設定されたＸＳＲＳ送信リソース、ＸＳＲＳ送信設定情報により設定されたＸＳＲＳ送信用のギャップ等である。
【００９８】
例えば、ＸＳＲＳ送信の送信機会の中の一部の時間区間が、ＤＬ測定又はＸＳＲＳ測定の時間区間と重なる場合において、ユーザ装置１００は、当該重なる時間区間でＸＳＲＳ送信をドロップすることで、測定を行うことが可能となる。
【００９９】
また、例えば、ユーザ装置１００におけるＸＳＲＳ送信のドロップは、基地局２００から、ＤＬ受信のための指示（スケジュール）がなされた場合に行うこととしてもよい。また、ユーザ装置１００は、基地局２００から指定されたＵＬ送信又はＸＳＲＳ送信が禁止されたシンボル、又は、基地局２００から指定されたＤＬシンボルにおいてＸＳＲＳ送信をドロップしてもよい。また、ユーザ装置１００は、ＵＬ送信又はＸＳＲＳ送信の指示を基地局２００から受信しない限り、ＸＳＲＳ送信をドロップすることとしてもよい。これにより、基地局２００は、期待しないＸＳＲＳ送信を停止することができる。
【０１００】
＜受信側＞
送信側のユーザ装置によるＸＳＲＳ送信ドロップにより、受信側のユーザ装置では、ＸＳＲＳの測定精度が低下するという問題がある。
【０１０１】
そこで、本実施の形態では、例えば非特許文献１に記載されているＬａｙｅｒ  ３  ｆｉｌｔｅｒｉｎｇに基づく方法で、ＸＳＲＳ送信ドロップによる測定精度の低下を回避することとしている。
【０１０２】
具体的には、ユーザ装置１００は、物理レイヤで得られたＸＳＲＳの測定結果（例：ＲＳＲＰ）が、所定の閾値（基地局２００から設定されたものでもよいし、事前設定されたものでもよい）よりも小さい場合（あるいは、物理レイヤで得られた測定結果が、所定の閾値（基地局２００から設定されたものでもよいし、事前設定されたものでもよい）よりも大きい場合）に、当該測定結果を上位レイヤに通知しない。なお、物理レイヤから上位レイヤに通知された測定結果が所定の閾値よりも小さい場合（あるいは所定の閾値よりも大きい場合）に、上位レイヤが当該測定結果を無視する（下記の式の計算に使用しない）こととしてもよい。
【０１０３】
そして、ユーザ装置１００は、上位レイヤにおいて、下記の式に基づき、測定結果を算出し、基地局２００に報告する。
【０１０４】
Ｆｎ＝（１‐α）×Ｆｎ−１＋αＭｎ
上記の式において、Ｍｎは、物理レイヤから受け取った直近の測定結果である。Ｆｎは、更新されたフィルタ後の測定結果である。Ｆｎ−１は、前回の測定結果である。なお、最初の測定結果（１回目の測定結果）を物理レイヤから取得したときに、Ｆ０にＭ１が設定される。αは、例えば１／２（ｋ／４）である。ここで、ｋは、例えば、基地局２００からユーザ装置１００に設定される値である。なお、これは一例であり、αとして使用される値が基地局２００からユーザ装置１００に設定されることとしてもよいし、αとして事前に設定された値を使用してもよい。
【０１０５】
図１５に動作の一例を示す。図１５の例では、ユーザ装置１００は、１回目と２回目のＸＳＲＳ受信において、測定結果（受信電力）が閾値よりも小さいと判定したため、これらの測定結果を使用しない（Ｄｒｏｐする）。４回目と５回目も同様である。３回目において、測定結果（受信電力）が閾値よりも大きいため、測定結果が物理レイヤから上位レイヤに渡され、上位レイヤにおいて上記式によるフィルタ後の測定結果が算出され、当該測定結果は、例えば、所定の報告トリガ（例：周期の到来）に基づき、基地局２００に送信される。
【０１０６】
なお、上記の例では、物理レイヤで測定結果を得て、上位レイヤ（例：レイヤ３）でフィルタリングをすることとしているが、これは例に過ぎず、測定実施（測定結果の取得）及びフィルタリングのいずれについてもどのレイヤで行うこととしてもよい。
【０１０７】
なお、ユーザ装置１００が、閾値よりも大きな測定結果を十分に得られない場合には、例えば、ユーザ装置１００は、干渉がないこと（あるいは干渉が小さいこと）を示す情報を基地局２００に報告する。また、ユーザ装置１００が、閾値よりも大きな測定結果を十分に得られない場合には、ユーザ装置１００は、予め定められた最小値を基地局２００に報告することとしてもよい。
【０１０８】
実施例５のように、閾値よりも大きな測定結果に対してのフィルタリングを行うことで、干渉の有無を正確に判断することが可能となる。
【０１０９】
ＸＳＲＳの送信電力は通常のＳＲＳもしくはＰＵＳＣＨと同じ電力、もしくは同じ電力にオフセットを加えた電力でもよいし、異なる送信電力パラメータ及び／又は異なる送信電力の絶対値を設定してもよい。送信電力設定は例えば上位レイヤシグナリングで行われる。前者の場合、ＸＳＲＳの測定によりデータチャネルの干渉レベルを推定することができ、後者の場合、干渉源のユーザ端末との伝搬ロスを推定することができる。
【０１１０】
また、ＲＡＣＨ  ＰｒｅａｍｂｌｅをＸＳＲＳとして送信する場合は、Ｐｏｗｅｒ  ｒａｍｐｉｎｇを適用せず設定された送信電力で基地局からのシグナリング（トリガ）に基づいて送信を行い、ある送信トリガに対して一度のみ送信を行なってもよいし、予め定められたり設定された回数送信を行なってもよい。接続状態のユーザ装置はＲＡＣＨ  Ｐｒｅａｍｂｌｅをほとんど送信せず、一定数の多重数が確保されており、かつ荒い同期でも検出できるため、低頻度で端末間干渉を測定する場合にはＸＳＲＳとしてＲＡＣＨ  Ｐｒｅａｍｂｌｅを用いることが好適である。なお、本願明細書及び特許請求の範囲において、ＲＡＣＨ  Ｐｒｅａｍｂｌｅは、参照信号の一例である。
【０１１１】
（装置構成）
以上説明した実施の形態の動作を実行するユーザ装置１００及び基地局２００の機能構成例を説明する。ユーザ装置１００及び基地局２００はそれぞれ、本実施の形態で説明した全ての機能を備える。ただし、ユーザ装置１００及び基地局２００はそれぞれ、本実施の形態で説明した全ての機能の中の一部の機能を備えることとしてもよい。例えば、ユーザ装置１００及び基地局２００はそれぞれ、実施例１を実施する機能、実施例２を実施する機能、実施例３を実施する機能、実施例４を実施する機能、実施例５を実施する機能のうちの全部の機能を備えても良いし、これらのうちのいずれか複数又はいずれか１つの機能を備えてもよい。
【０１１２】
＜ユーザ装置１００＞
図１６は、ユーザ装置１００の機能構成の一例を示す図である。図１６に示すように、ユーザ装置１００は、信号送信部１１０と、信号受信部１２０と、設定情報管理部１３０を含む。信号受信部１２０は、測定部１４０を含む。図１６に示す機能構成は一例に過ぎない。本実施の形態に係る動作を実行できるのであれば、機能区分及び機能部の名称はどのようなものでもよい。
【０１１３】
信号送信部１１０は、上位レイヤの情報から下位レイヤの信号を生成し、当該信号を無線で送信するように構成されている。信号受信部１２０は、各種の信号を無線受信し、受信した信号から上位レイヤの情報を取得するように構成されている。また、信号受信部１２０は、測定部１４０により、受信電力の測定を行う。また、信号送信部１１０は、実施の形態で説明したように、ＸＳＲＳと他の信号との競合時に、優先度等に基づき、ＸＳＲＳを送信するか否かを判断し、送信すると決定した場合にＸＳＲＳの送信を行う。また、信号送信部１１０は、信号受信部１２０による測定結果を基地局２００に報告する機能も備える。また、信号受信部１２０は、実施の形態で説明したように、ＸＳＲＳと他の信号との競合時に、優先度等に基づき、ＸＳＲＳを受信するか否かを判断し、受信すると決定した場合にＸＳＲＳの受信を行う。また、信号受信部１２０は、実施例５で説明したフィルタリング処理を行う機能を含む。
【０１１４】
設定情報管理部１３０は、予め設定される設定情報と、ダイナミック及び／又はセミスタティックに基地局２００等から送信される設定情報とを格納する記憶部を有する。
【０１１５】
例えば、設定情報管理部１３０は、他のユーザ装置において干渉の測定に使用される参照信号の送信のための設定情報を保持し、信号送信部１１０は、前記設定情報に基づいて、前記参照信号を送信する。当該前記信号送信部１２０は、例えば、前記参照信号の送信と、他の信号の送信又は受信とが競合する場合において、所定の優先度に基づいて、当該参照信号を送信するか否かを決定する。
【０１１６】
前記信号送信部１２０は、基地局２００から設定されたギャップにおいて、前記参照信号の送信と、前記他の信号の送信又は受信とが競合する場合でも、当該参照信号を送信する。
【０１１７】
また、例えば、設定情報管理部１３０は、干渉の測定に使用される参照信号の受信のための設定情報を保持し、信号受信部１２０は、前記設定情報に基づいて、前記参照信号を受信する。信号受信部１２０は、例えば、前記参照信号の受信と、他の信号の送信又は受信とが競合する場合において、所定の優先度に基づいて、前記参照信号を受信するか否かを決定する。
【０１１８】
また、前記信号受信部１２０は、基地局２００から設定されたギャップにおいて、前記参照信号の受信と、前記他の信号の送信又は受信とが競合する場合でも、当該参照信号を受信する。また、例えば、前記信号受信部１２０は、前記参照信号の受信電力を測定し、所定の閾値よりも大きな受信電力に対してフィルタリング処理を実行する。
【０１１９】
＜基地局２００＞
図１７は、基地局２００の機能構成の一例を示す図である。図１７に示すように、基地局２００は、信号送信部２１０と、信号受信部２２０と、スケジューリング部２３０と、設定情報管理部２４０、ＮＷ通信部２５０を含む。
【０１２０】
図１７に示す機能構成は一例に過ぎない。本実施の形態に係る動作を実行できるのであれば、機能区分及び機能部の名称はどのようなものでもよい。
【０１２１】
信号送信部２１０は、上位レイヤの情報から下位レイヤの信号を生成し、当該信号を無線で送信するように構成されている。信号受信部２２０は、各種の信号を無線受信し、受信した信号から上位レイヤの情報を取得するように構成されている。
【０１２２】
スケジューリング部２３０は、ユーザ装置１００へのリソース割り当て等を行う。例えば、スケジューリング部２３０は、信号受信部２２０により受信したユーザ装置１００からの測定結果に基づき、干渉を回避するようなスケジューリングを実施する。
【０１２３】
設定情報管理部２４０は記憶部を含み、予め設定される設定情報を格納するとともに、ダイナミック及び／又はセミスタティックにユーザ装置１００に対して設定する設定情報を決定し、保持する機能を含む。ＮＷ通信部２５０は、例えばＸＳＲＳ送信設定情報、ＸＳＲＳ受信設定情報、又は、ユーザ装置による信号の送信／受信のためのスケジューリング情報等を他の基地局との間で送受信する。
【０１２４】
＜ハードウェア構成＞
上記実施の形態の説明に用いたブロック図（図１６〜図１７）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１２５】
また、例えば、本発明の一実施の形態におけるユーザ装置１００と基地局２００はいずれも、本実施の形態に係る処理を行うコンピュータとして機能してもよい。図１８は、本実施の形態に係るユーザ装置１００と基地局２００のハードウェア構成の一例を示す図である。上述のユーザ装置１００と基地局２００はそれぞれ、物理的には、プロセッサ１００１、メモリ１００２、ストレージ１００３、通信装置１００４、入力装置１００５、出力装置１００６、バス１００７などを含むコンピュータ装置として構成されてもよい。
【０１２６】
なお、以下の説明では、「装置」という文言は、回路、デバイス、ユニットなどに読み替えることができる。ユーザ装置１００と基地局２００のハードウェア構成は、図に示した１００１〜１００６で示される各装置を１つ又は複数含むように構成されてもよいし、一部の装置を含まずに構成されてもよい。
【０１２７】
ユーザ装置１００と基地局２００における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【０１２８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。
【０１２９】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、図１６に示したユーザ装置１００の信号送信部１１０、信号受信部１２０、設定情報管理部１３０、測定部１４０は、メモリ１００２に格納され、プロセッサ１００１で動作する制御プログラムによって実現されてもよい。また、例えば、図１７に示した基地局２００の信号送信部２１０と、信号受信部２２０と、スケジューリング部２３０と、設定情報管理部２４０と、ＮＷ通信部２５０は、メモリ１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【０１３０】
メモリ１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）などの少なくとも１つで構成されてもよい。メモリ１００２は、レジスタ、キャッシュ、メインメモリ（主記憶装置）などと呼ばれてもよい。メモリ１００２は、本発明の一実施の形態に係る処理を実施するために実行可能なプログラム（プログラムコード）、ソフトウェアモジュールなどを保存することができる。
【０１３１】
ストレージ１００３は、コンピュータ読み取り可能な記録媒体であり、例えば、ＣＤ−ＲＯＭ（Ｃｏｍｐａｃｔ  Ｄｉｓｃ  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１３２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ユーザ装置１００の信号送信部１１０及び信号受信部１２０は、通信装置１００４で実現されてもよい。また、基地局２００の信号送信部２１０及び信号受信部２２０は、通信装置１００４で実現されてもよい。
【０１３３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【０１３４】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１３５】
また、ユーザ装置１００と基地局２００はそれぞれ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１３６】
（実施の形態のまとめ）
以上、説明したように、本実施の形態によれば、無線通信システムにおけるユーザ装置であって、他のユーザ装置において干渉の測定に使用される参照信号の送信のための設定情報を保持する設定情報管理部と、前記設定情報に基づいて、前記参照信号を送信する信号送信部と、を備え、前記信号送信部は、前記参照信号の送信と、他の信号の送信又は受信とが競合する場合において、所定の優先度に基づいて、当該参照信号を送信するか否かを決定することを特徴とするユーザ装置が提供される。この構成により、ユーザ装置間測定において、ユーザ装置が、干渉の測定のための参照信号を適切に送信又は受信することを可能とする技術が提供される。
【０１３７】
前記信号送信部は、基地局から設定されたギャップにおいて、前記参照信号の送信と、前記他の信号の送信又は受信とが競合する場合でも、当該参照信号を送信することとしてもよい。この構成により、参照信号を送信する機会が確保でき、効率的にユーザ装置間測定を実施できる。
【０１３８】
また、本実施の形態によれば、無線通信システムにおけるユーザ装置であって、干渉の測定に使用される参照信号の受信のための設定情報を保持する設定情報管理部と、前記設定情報に基づいて、前記参照信号を受信する信号受信部と、を備え、前記信号受信部は、前記参照信号の受信と、他の信号の送信又は受信とが競合する場合において、所定の優先度に基づいて、前記参照信号を受信するか否かを決定することを特徴とするユーザ装置が提供される。この構成により、ユーザ装置間測定において、ユーザ装置が、干渉の測定のための参照信号を適切に送信又は受信することを可能とする技術が提供される。
【０１３９】
前記信号受信部は、基地局から設定されたギャップにおいて、前記参照信号の受信と、前記他の信号の送信又は受信とが競合する場合でも、当該参照信号を受信することとしてもよい。この構成により、参照信号を受信する機会が確保でき、効率的にユーザ装置間測定を実施できる。
【０１４０】
前記信号受信部は、前記参照信号の受信電力を測定し、所定の閾値よりも大きな受信電力に対してフィルタリング処理を実行することとしてもよい。この構成により、例えば、参照信号の送信側で、参照信号がドロップされることがあっても、受信側で適切な測定結果を得ることができる。
【０１４１】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、ユーザ装置１００と基地局２００は機能的なブロック図を用いて説明されたが、そのような装置はハードウェアで、ソフトウェアで又はそれらの組み合わせで実現されてもよい。本発明の実施の形態に従ってユーザ装置１００が有するプロセッサにより動作するソフトウェア及び本発明の実施の形態に従って基地局２００が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１４２】
また、情報の通知は、本明細書で説明した態様／実施形態に限られず、他の方法で行われてもよい。例えば、情報の通知は、物理レイヤシグナリング（例えば、ＤＣＩ（Ｄｏｗｎｌｉｎｋ  Ｃｏｎｔｒｏｌ  Ｉｎｆｏｒｍａｔｉｏｎ）、ＵＣＩ（Ｕｐｌｉｎｋ  Ｃｏｎｔｒｏｌ  Ｉｎｆｏｒｍａｔｉｏｎ））、上位レイヤシグナリング（例えば、ＲＲＣ（Ｒａｄｉｏ  Ｒｅｓｏｕｒｃｅ  Ｃｏｎｔｒｏｌ）シグナリング、ＭＡＣ（Ｍｅｄｉｕｍ  Ａｃｃｅｓｓ  Ｃｏｎｔｒｏｌ）シグナリング、ブロードキャスト情報（ＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ）））、その他の信号又はこれらの組み合わせによって実施されてもよい。また、ＲＲＣシグナリングは、ＲＲＣメッセージと呼ばれてもよく、例えば、ＲＲＣ接続セットアップ（ＲＲＣ  Ｃｏｎｎｅｃｔｉｏｎ  Ｓｅｔｕｐ）メッセージ、ＲＲＣ接続再構成（ＲＲＣ  Ｃｏｎｎｅｃｔｉｏｎ  Ｒｅｃｏｎｆｉｇｕｒａｔｉｏｎ）メッセージなどであってもよい。
【０１４３】
本明細書で説明した各態様／実施形態は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＳＵＰＥＲ  ３Ｇ、ＩＭＴ−Ａｄｖａｎｃｅｄ、４Ｇ、５Ｇ、ＦＲＡ（Ｆｕｔｕｒｅ  Ｒａｄｉｏ  Ａｃｃｅｓｓ）、Ｗ−ＣＤＭＡ（登録商標）、ＧＳＭ（登録商標）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ｕｌｔｒａ−ＷｉｄｅＢａｎｄ）、Ｂｌｕｅｔｏｏｔｈ（登録商標）、その他の適切なシステムを利用するシステム及び／又はこれらに基づいて拡張された次世代システムに適用されてもよい。
【０１４４】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１４５】
本明細書において基地局２００によって行われるとした特定動作は、場合によってはその上位ノード（ｕｐｐｅｒ  ｎｏｄｅ）によって行われることもある。基地局２００を有する１つまたは複数のネットワークノード（ｎｅｔｗｏｒｋ  ｎｏｄｅｓ）からなるネットワークにおいて、ユーザ装置１００との通信のために行われる様々な動作は、基地局２００および／または基地局２００以外の他のネットワークノード（例えば、ＭＭＥまたはＳ−ＧＷなどが考えられるが、これらに限られない）によって行われ得ることは明らかである。上記において基地局２００以外の他のネットワークノードが１つである場合を例示したが、複数の他のネットワークノードの組み合わせ（例えば、ＭＭＥおよびＳ−ＧＷ）であってもよい。
【０１４６】
本明細書で説明した各態様／実施形態は単独で用いてもよいし、組み合わせて用いてもよいし、実行に伴って切り替えて用いてもよい。
【０１４７】
ユーザ装置１００は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１４８】
基地局２００は、当業者によって、ＮＢ（ＮｏｄｅＢ）、ｅＮＢ（ｅｎｈａｎｃｅｄ  ＮｏｄｅＢ）、ベースステーション（Ｂａｓｅ  Ｓｔａｔｉｏｎ）、またはいくつかの他の適切な用語で呼ばれる場合もある。
【０１４９】
本明細書で使用する「判断（ｄｅｔｅｒｍｉｎｉｎｇ）」、「決定（ｄｅｔｅｒｍｉｎｉｎｇ）」という用語は、多種多様な動作を包含する場合がある。「判断」、「決定」は、例えば、判定（ｊｕｄｇｉｎｇ）、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベースまたは別のデータ構造での探索）、確認（ａｓｃｅｒｔａｉｎｉｎｇ）した事を「判断」「決定」したとみなす事などを含み得る。また、「判断」、「決定」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）した事を「判断」「決定」したとみなす事などを含み得る。また、「判断」、「決定」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などした事を「判断」「決定」したとみなす事を含み得る。つまり、「判断」「決定」は、何らかの動作を「判断」「決定」したとみなす事を含み得る。
【０１５０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１５１】
「含む（ｉｎｃｌｕｄｅ）」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（ｏｒ）」は、排他的論理和ではないことが意図される。
【０１５２】
本開示の全体において、例えば、英語でのａ，ａｎ，及びｔｈｅのように、翻訳により冠詞が追加された場合、これらの冠詞は、文脈から明らかにそうではないことが示されていなければ、複数のものを含み得る。
【０１５３】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１５４】
１００  ユーザ装置
１１０  信号送信部
１２０  信号受信部
１３０  設定情報管理部
１４０  測定部
２００  基地局
２１０  信号送信部
２２０  信号受信部
２３０  スケジューリング部
２４０  設定情報管理部
２５０  ＮＷ通信部
１００１  プロセッサ
１００２  メモリ
１００３  ストレージ
１００４  通信装置
１００５  入力装置
１００６  出力装置
【図１Ａ】
2019030932.tif 000003
【図１Ｂ】
2019030932.tif 000004
【図２】
2019030932.tif 000005
【図３Ａ】
2019030932.tif 000006
【図３Ｂ】
2019030932.tif 000007
【図３Ｃ】
2019030932.tif 000008
【図４】
2019030932.tif 000009
【図５】
2019030932.tif 000010
【図６】
2019030932.tif 000011
【図７】
2019030932.tif 000012
【図８】
2019030932.tif 000013
【図９】
2019030932.tif 000014
【図１０】
2019030932.tif 000015
【図１１】
2019030932.tif 000016
【図１２】
2019030932.tif 000017
【図１３】
2019030932.tif 000018
【図１４】
2019030932.tif 000019
【図１５】
2019030932.tif 000020
【図１６】
2019030932.tif 000021
【図１７】
2019030932.tif 000022
【図１８】
2019030932.tif 000023
【国際調査報告】
2019030932.tif 000024
2019030932.tif 000025
2019030932.tif 000026